【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
ワイヤレスデバイスにおける通信の方法であって、
第１の圧縮モードを利用する第１の無線アクセス技術（ＲＡＴ）の第１のワイヤレス接続を介した送信のために第１のデータパケットを選択することと、
前記第１の圧縮モードを利用する前記第１のワイヤレス接続を介して前記第１のデータパケットを送信することと、ここにおいて、前記第１の圧縮モードは、前記第１のデータパケットを圧縮することおよび前記第１のデータパケットに少なくとも部分的に基づいてバッファを更新することを備える、
第２の圧縮モードを利用する第２のＲＡＴの第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づき、ここにおいて、前記第２のＲＡＴは、前記第１のＲＡＴとは異なり、前記第２の圧縮モードは、前記第２のデータパケットを圧縮することおよび前記第２のデータパケットに基づいて前記バッファを更新することを控えることを備える、
前記第２の圧縮モードを利用する前記第２のワイヤレス接続を介して前記第２のデータパケットを送信することと
を備える、方法。
【請求項２】
前記第１のワイヤレス接続が、ＬＴＥ接続であり、前記第２のワイヤレス接続が、Ｗｉ−Ｆｉ接続である、請求項１に記載の方法。
【請求項３】
前記第１の圧縮モードを利用する前記第１のワイヤレス接続を介した送信のために第３のデータパケットを選択することと、
前記更新されたバッファと前記第２のデータパケットに基づいて前記バッファを更新することを前記控えることとに少なくとも部分的に基づいて前記第１の圧縮モードに従って前記第３のデータパケットを圧縮することと
をさらに備える、請求項１に記載の方法。
【請求項４】
前記第２の圧縮モードが、ヘッダ圧縮モードまたはヘッダ＋ペイロード圧縮モードを備える、請求項１に記載の方法。
【請求項５】
前記第２のデータパケットに対応するバッファ更新バイパス指示を送信すること
をさらに備える、請求項１に記載の方法。
【請求項６】
前記第２のデータパケットを選択することが、圧縮データパケットと非圧縮データパケットとの比率に少なくとも部分的に基づく
をさらに備える、請求項１に記載の方法。
【請求項７】
前記第１のデータパケットの圧縮ヘッダ中のパケットタイプフィールド中に前記第１の圧縮モードを示すこと
をさらに備える、請求項１に記載の方法。
【請求項８】
前記第２のデータパケットの圧縮ヘッダ中のパケットタイプフィールド中に前記第２の圧縮モードを示すこと
をさらに備える、請求項１に記載の方法。
【請求項９】
前記第１の圧縮モードを利用する前記第１のワイヤレス接続を介して第３のデータパケットを送信することと、
前記第３のデータパケットのシリアル番号を示す損失パケットメッセージを受信することと、
パケットデータコンバージェンスプロトコル（ＰＤＣＰ）を使用して前記損失パケットメッセージに少なくとも部分的に基づいて前記第３のデータパケットを再送信することと
をさらに備える、請求項１に記載の方法。
【請求項１０】
前記第２のデータパケットについて失敗条件が満たされたと決定することと、
前記失敗条件が満たされたという前記決定に少なくとも部分的に基づいて前記第１のワイヤレス接続を介して前記第２のデータパケットを送信することと
をさらに備える、請求項１に記載の方法。
【請求項１１】
前記失敗条件が、
タイムアウトタイマ、
前記第２のデータパケットのシーケンス番号よりも大きいシーケンス番号をもつ前記第１のワイヤレス接続を介して送信されるいくつかのパケット、
のうちの１つを備える、請求項１０に記載の方法。
【請求項１２】
ワイヤレスデバイスにおける通信の方法であって、
第１の無線アクセス技術（ＲＡＴ）を利用する送信機との第１のワイヤレス接続を確立することと、
前記第１のＲＡＴとは異なるＲＡＴを利用する前記送信機との第２のワイヤレス接続を確立することと、ここにおいて、前記第２のワイヤレス接続が、前記第１のワイヤレス接続よりも信頼できない、
データパケットを圧縮することおよび第１のデータパケットに少なくとも部分的に基づいてバッファを更新することを含む第１の圧縮モードを利用する前記第１のワイヤレス接続を介して前記送信機から前記第１のデータパケットを受信することと、
データパケットを圧縮することおよび第２のデータパケットに基づいて前記バッファを更新することを控えることを含む第２の圧縮モードを利用する前記第２のワイヤレス接続を介して前記送信機から前記第２のデータパケットを受信することと、ここにおいて、前記第２の圧縮モードは、前記第２のワイヤレス接続が前記第１のワイヤレス接続よりも信頼できないことに少なくとも部分的に基づく、
を備える、方法。
【請求項１３】
前記第１の圧縮モードに従って前記第１のデータパケットを圧縮解除することと、
前記更新されたバッファに少なくとも部分的に基づいて前記第２のデータパケットを圧縮解除することと、
前記第１の圧縮モードに基づいて第３のデータパケットを受信することと、
前記更新されたバッファと前記第２のデータパケットに基づいて前記バッファを更新することを前記控えることとに少なくとも部分的に基づいて前記第１の圧縮モードに従って前記第３のデータパケットを圧縮解除することと
をさらに備える、請求項１２に記載の方法。
【請求項１４】
ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
第１の圧縮モードを利用する第１の無線アクセス技術（ＲＡＴ）の第１のワイヤレス接続を介した送信のために第１のデータパケットを選択することと、
前記第１の圧縮モードを利用する前記第１のワイヤレス接続を介して前記第１のデータパケットを送信することと、ここにおいて、前記第１の圧縮モードは、前記第１のデータパケットを圧縮することおよび前記第１のデータパケットに少なくとも部分的に基づいてバッファを更新することを備える、
第２の圧縮モードを利用する第２のＲＡＴの第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づき、ここにおいて、前記第２のＲＡＴは、前記第１のＲＡＴとは異なり、前記第２の圧縮モードは、前記第２のデータパケットを圧縮することおよび前記第２のデータパケットに基づいて前記バッファを更新することを控えることを備える、
前記第２の圧縮モードを利用する前記第２のワイヤレス接続を介して前記第２のデータパケットを送信することと
を行うために実行可能である、
を備える、装置。
【請求項１５】
ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
第１の無線アクセス技術（ＲＡＴ）を利用する送信機との第１のワイヤレス接続を確立することと、
前記第１のＲＡＴとは異なるＲＡＴを利用する前記送信機との第２のワイヤレス接続を確立することと、ここにおいて、前記第２のワイヤレス接続が、前記第１のワイヤレス接続よりも信頼できない、
データパケットを圧縮することおよび第１のデータパケットに少なくとも部分的に基づいてバッファを更新することを含む第１の圧縮モードを利用する前記第１のワイヤレス接続を介して前記送信機から前記第１のデータパケットを受信することと、
データパケットを圧縮することおよび第２のデータパケットに基づいて前記バッファを更新することを控えることを含む第２の圧縮モードを利用する前記第２のワイヤレス接続を介して前記送信機から前記第２のデータパケットを受信することと、ここにおいて、前記第２の圧縮モードは、前記第２のワイヤレス接続が前記第１のワイヤレス接続よりも信頼できないことに少なくとも部分的に基づく、
を行うために実行可能である、
を備える、装置。
【手続補正２】
【補正対象書類名】明細書
【補正対象項目名】０１５０
【補正方法】変更
【補正の内容】
【０１５０】
[0164]  本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書に記載された技法は、上述されたシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ワイヤレスデバイスにおける通信の方法であって、
第１の圧縮モードを利用する第１のワイヤレス接続を介した送信のために第１のデータパケットを選択することと、
前記第１の圧縮モードを利用する前記第１のワイヤレス接続を介して前記第１のデータパケットを送信することと、
第２の圧縮モードを利用する第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づく、
前記第２の圧縮モードを利用する前記第２のワイヤレス接続を介して前記第２のデータパケットを送信することと
を備える、方法。
[Ｃ２]  前記第１のワイヤレス接続が、ＬＴＥ接続であり、前記第２のワイヤレス接続が、Ｗｉ−Ｆｉ接続である、Ｃ１に記載の方法。
[Ｃ３]  前記第１の圧縮モードが、データパケットを圧縮することを備え、
前記第２の圧縮モードが、非圧縮データパケットを送信することを備える、Ｃ１に記載の方法。
[Ｃ４]  前記第１の圧縮モードに従って前記第１のデータパケットを圧縮することと、
前記第２の圧縮モードに従って非圧縮形態で前記第２のデータパケットを送信することと
をさらに備える、Ｃ３に記載の方法。
[Ｃ５]  前記第１の圧縮モードが、データパケットを圧縮することと、バッファを更新することとを備え、
前記第２の圧縮モードが、データパケットを圧縮することと、前記バッファを更新することを控えることとを備える、Ｃ１に記載の方法。
[Ｃ６]  前記第１の圧縮モードに従って前記第１のデータパケットを圧縮することと、
前記第１のデータパケットに少なくとも部分的に基づいて前記バッファを更新することと、
前記更新されたバッファに少なくとも部分的に基づいて前記第２の圧縮モードに従って前記第２のデータパケットを圧縮することと、
前記第２のデータパケットに基づいて前記バッファを更新することを控えることと、  前記第１の圧縮モードを利用する前記第１のワイヤレス接続を介した送信のために第３のデータパケットを選択することと、
前記更新されたバッファと前記第２のデータパケットに基づいて前記バッファを更新することを前記控えることとに少なくとも部分的に基づいて前記第１の圧縮モードに従って前記第３のデータパケットを圧縮することと
をさらに備える、Ｃ５に記載の方法。
[Ｃ７]  前記第２の圧縮モードが、ヘッダ圧縮モードまたはヘッダ＋ペイロード圧縮モードを備える、Ｃ５に記載の方法。
[Ｃ８]  前記第２のデータパケットに対応するバッファ更新バイパス指示を送信すること
をさらに備える、Ｃ５に記載の方法。
[Ｃ９]  前記第２の圧縮モードを利用する前記第１のワイヤレス接続を介して第３のデータパケットを送信すること
をさらに備える、Ｃ１に記載の方法。
[Ｃ１０]  前記第２のデータパケットを選択することが、圧縮データパケットと非圧縮データパケットとの比率に少なくとも部分的に基づく
をさらに備える、Ｃ１に記載の方法。
[Ｃ１１]  前記第１のデータパケットの圧縮ヘッダ中のパケットタイプフィールド中に前記第１の圧縮モードを示すこと
をさらに備える、Ｃ１に記載の方法。
[Ｃ１２]  前記第２のデータパケットの圧縮ヘッダ中のパケットタイプフィールド中に前記第２の圧縮モードを示すこと
をさらに備える、Ｃ１に記載の方法。
[Ｃ１３]  前記第１の圧縮モードを利用する前記第１のワイヤレス接続を介して第３のデータパケットを送信することと、
前記第３のデータパケットのシリアル番号を示す損失パケットメッセージを受信することと、
パケットデータコンバージェンスプロトコル（ＰＤＣＰ）を使用して前記損失パケットメッセージに少なくとも部分的に基づいて前記第３のデータパケットを再送信することと  をさらに備える、Ｃ１に記載の方法。
[Ｃ１４]  前記第２のデータパケットについて失敗条件が満たされたと決定することと、
前記失敗条件が満たされたという前記決定に少なくとも部分的に基づいて前記第１のワイヤレス接続を介して前記第２のデータパケットを送信することと
をさらに備える、Ｃ１に記載の方法。
[Ｃ１５]  前記失敗条件がタイムアウトタイマを備える、Ｃ１４に記載の方法。
[Ｃ１６]  前記失敗条件が、前記第２のデータパケットのシーケンス番号よりも大きいシーケンス番号をもつ前記第１のワイヤレス接続を介して送信されるいくつかのパケットを備える、Ｃ１４に記載の方法。
[Ｃ１７]  ワイヤレスデバイスにおける通信の方法であって、
送信機との第１のワイヤレス接続を確立することと、
前記送信機との第２のワイヤレス接続を確立することと、ここにおいて、前記第２のワイヤレス接続が、前記第１のワイヤレス接続よりも信頼できない、
第１の圧縮モードを利用する前記第１のワイヤレス接続を介して前記送信機から第１のデータパケットを受信することと、
第２の圧縮モードを利用する前記第２のワイヤレス接続を介して前記送信機から第２のデータパケットを受信することと、ここにおいて、前記第２の圧縮モードは、前記第２のワイヤレス接続が前記第１のワイヤレス接続よりも信頼できないことに少なくとも部分的に基づく、
を備える、方法。
[Ｃ１８]  前記第１のワイヤレス接続が、ＬＴＥ接続であり、前記第２のワイヤレス接続が、Ｗｉ−Ｆｉ接続である、Ｃ１７に記載の方法。
[Ｃ１９]  前記第１の圧縮モードが、データパケットを圧縮することを備え、
前記第２の圧縮モードが、非圧縮データパケットを送信することを備える、Ｃ１７に記載の方法。
[Ｃ２０]  前記第１のデータパケットが圧縮され、前記第２のデータパケットが圧縮されていない、
前記方法は、前記第１のデータパケットを圧縮解除することをさらに備え、
ここにおいて、前記第２のデータパケットを受信することが、
非圧縮形態で前記第２のデータパケットを受信すること
を備える、Ｃ１９に記載の方法。
[Ｃ２１]  前記第１の圧縮モードが、データパケットを圧縮することと、バッファを更新することとを備え、
前記第２の圧縮モードが、データパケットを圧縮することと、前記バッファを更新することを控えることとを備える、Ｃ１７に記載の方法。
[Ｃ２２]  前記第１の圧縮モードに従って前記第１のデータパケットを圧縮解除することと、
前記第１のデータパケットに少なくとも部分的に基づいて前記バッファを更新することと、
前記更新されたバッファに少なくとも部分的に基づいて前記第２のデータパケットを圧縮解除することと、
前記第２のデータパケットに基づいて前記バッファを更新することを控えることと、  前記第１の圧縮モードに基づいて第３のデータパケットを受信することと、
前記更新されたバッファと前記第２のデータパケットに基づいて前記バッファを更新することを前記控えることとに少なくとも部分的に基づいて前記第１の圧縮モードに従って前記第３のデータパケットを圧縮解除することと
をさらに備える、Ｃ２１に記載の方法。
[Ｃ２３]  前記第２の圧縮モードが、ヘッダ圧縮モードまたはヘッダ＋ペイロード圧縮モードを備える、Ｃ２１に記載の方法。
[Ｃ２４]  前記第２の圧縮モードを利用する前記第１のワイヤレス接続を介して第３のデータパケットを受信すること
をさらに備える、Ｃ１７に記載の方法。
[Ｃ２５]  前記第１のデータパケットの圧縮ヘッダ中のパケットタイプフィールドに少なくとも部分的に基づいて前記第１の圧縮モードを識別すること
をさらに備える、Ｃ１７に記載の方法。
[Ｃ２６]  前記第２のデータパケットの圧縮ヘッダ中のパケットタイプフィールドに少なくとも部分的に基づいて前記第２の圧縮モードを識別すること
をさらに備える、Ｃ１７に記載の方法。
[Ｃ２７]  第３のデータパケットが失われたと決定することと、
前記第３のデータパケットのシリアル番号を示す損失パケットメッセージをアクセスネットワークに送信することと、
ＰＤＣＰを使用して、前記損失パケットメッセージに少なくとも部分的に基づいて前記第３のデータパケットに対応する再送信を受信することと
をさらに備える、Ｃ１７に記載の方法。
[Ｃ２８]  ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
第１の圧縮モードを利用する第１のワイヤレス接続を介した送信のために第１のデータパケットを選択することと、
前記第１の圧縮モードを利用する前記第１のワイヤレス接続を介して前記第１のデータパケットを送信することと、
第２の圧縮モードを利用する第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づく、
前記第２の圧縮モードを利用する前記第２のワイヤレス接続を介して前記第２のデータパケットを送信することと
を行うために実行可能である、
を備える、装置。
[Ｃ２９]  前記第１のワイヤレス接続が、ＬＴＥ接続であり、前記第２のワイヤレス接続が、Ｗｉ−Ｆｉ接続である、Ｃ２８に記載の装置。
[Ｃ３０]  ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
送信機との第１のワイヤレス接続を確立することと、
前記送信機との第２のワイヤレス接続を確立することと、ここにおいて、前記第２のワイヤレス接続が、前記第１のワイヤレス接続よりも信頼できない、
第１の圧縮モードを利用する前記第１のワイヤレス接続を介して前記送信機から第１のデータパケットを受信することと、
第２の圧縮モードを利用する前記第２のワイヤレス接続を介して前記送信機から第２のデータパケットを受信することと、ここにおいて、前記第２の圧縮モードは、前記第２のワイヤレス接続が前記第１のワイヤレス接続よりも信頼できないことに少なくとも部分的に基づく、
を行うために実行可能である、
を備える、装置。